(57)【要約】【課題】フタが多少開いても、フタ開検知できる洗濯機を提供すること。【解決手段】本体１上部に設けた上部枠体３０と、上部枠体３０の略中央に設けた衣類を投入する衣類投入口１０と、衣類投入口１０を開閉するフタ１１とを備え、フタ１１裏面外周には導電性を有するフタ導電部１４を設けるとともに、衣類投入口１０表面には導電性を有する投入口導電部１５をフタ導電部１４と対向する位置に設け、フタ導電部１４と投入口導電部１５との間の静電容量の変化によりフタ１１の開閉状態を判別する制御手段３４を有するので、フタが多少持ち上がった場合でも、フタが開いたことを精度良く検知することができるので、脱水運転の停止などを適切に行うことができるようになり、安全性に優れた洗濯機を実現することができる。【選択図】図４
2013255671.tif 000002
【特許請求の範囲】
【請求項１】
本体上部に設けた上部枠体と、前記上部枠体の略中央に設けた衣類を投入する衣類投入口と、前記衣類投入口を開閉するフタとを備え、前記フタ裏面外周には導電性を有するフタ導電部を設けるとともに、前記衣類投入口表面には導電性を有する投入口導電部を前記フタ導電部と対向する位置に設け、前記フタ導電部と前記投入口導電部との間の静電容量の変化により前記フタの開閉状態を判別する制御手段を有する洗濯機。
【請求項２】
静電容量を記憶する記憶手段を有し、前記制御手段は、前記記憶手段に記憶した静電容量の初期値をもとに、検知した静電容量を補正するようにした請求項１に記載の洗濯機。
【発明の詳細な説明】
【技術分野】
【０００１】
本発明は、衣類投入部を開閉するフタを有する洗濯機に関するものである。
【背景技術】
【０００２】
従来、この種の洗濯機では、フタを軸支する蝶番部近傍に内蔵したメカニカルスイッチによってフタの開閉を検知し、フタを閉めて運転開始した時にはフタロック機構によりフタをロックするという構成が提案されてきた（例えば、特許文献１参照）。
【０００３】
図６は、特許文献１に記載された従来の洗濯機の平面図、図７は、同洗濯機のフタスイッチ部の平面図、図８は、同洗濯機のドアスイッチ部の平面図、図９は、同洗濯機のロック機構部の平面図を示すものである。
【０００４】
図６，図７，図８，図９において、外枠（図示せず）の上部には、トップカバー８０が設けられ、トップカバー８０は、操作表示部８２、及び、中央に一端を軸支され、開閉自在に動作するフタ８１を有している。
【０００５】
フタ８１の後方左側部のトップカバー８０には、フタ８１の開閉状態を検知するフタスイッチ９３が設けられている。フタスイッチ９３は、フタ８１より一体に突出した腕部９２とフタスイッチ９３のレバー９４が係合し、フタ８１の開閉によりレバー９４が上下して、フタスイッチ９３がＯＮ、ＯＦＦする。
【０００６】
また、フタ８１の後方右側部のトップカバー８０には、フタ８１の開閉状態を検知するとともに、加熱ユニット（図示せず）のＯＮ／ＯＦＦ制御をするドアスイッチ１０１が設けられている。ドアスイッチ１０１は、フタ８１より一体に突出した腕部１０２とドアスイッチ１０１の可動片（図示せず）が係合し、フタ８１の開閉により可動片が上下して、ドアスイッチ１０１がＯＮ、ＯＦＦする。
【０００７】
また、フタ８１の前方右側部のトップカバー８０には、フタ８１を閉状態にロックするロック機構８３が設けられている。
【０００８】
以上の構成にて、洗濯時は、電源を入れてフタ８１を閉じると、フタスイッチ９３とドアスイッチ１０１が共にＯＮとなるために、運転を開始することができる。また、脱水行程、乾燥行程にてバスケット（図示せず）が回転している時は、安全のためにロック機構８３が動作して、フタ８１が閉状態にロックされ、開けることができないようになっており、電源を切り、モータ（図示せず）の回転が止まると、ロックが解除されてフタ８１を開けることができる。
【先行技術文献】
【特許文献】
【０００９】
【特許文献１】特開平４−４０９９９号公報
【発明の概要】
【発明が解決しようとする課題】
【００１０】
しかしながら、前記従来の構成では、フタの左右側には開閉検知機構がスペースの問題やコストの問題などで設けにくくなってきた。また、近年のデザイン性向上や衣類投入口を大きくして衣類の出し入れ性を向上するための合成樹脂製フタの大型化傾向にあり、フタがロックされた状態でも、強引にフタを変形させて持ち上げることができることがあり
、安全性に懸念があった。
【００１１】
本発明は、前記従来の課題を解決するもので、フタのどの個所でも、少しでも開いたらフタ開状態を検知して、運転を適切に中止するという安全性の高い洗濯機を提供することを目的としている。
【課題を解決するための手段】
【００１２】
前記従来の課題を解決するために、本発明の洗濯機は、本体上部に設けた上部枠体と、前記上部枠体の略中央に設けた衣類を投入する衣類投入口と、前記衣類投入口を開閉するフタとを備え、前記フタ裏面外周には導電性を有するフタ導電部を設けるとともに、前記衣類投入口表面には導電性を有する投入口導電部を前記フタ導電部と対向する位置に設け、前記フタ導電部と前記投入口導電部との間の静電容量の変化により前記フタの開閉状態を判別する制御手段を有するものである。
【００１３】
これによって、フタが変形などで多少持ち上がっても、フタが開いたことを精度良く検知することができるので、脱水運転の停止などを適切に行うことができるようになり、安全性に優れた洗濯機を実現することができる。
【発明の効果】
【００１４】
本発明の洗濯機は、フタが多少持ち上がった場合でも、フタが開いたことを精度良く検知することができるので、脱水運転の停止などを適切に行うことができるようになり、安全性に優れた洗濯機を実現することができる。
【図面の簡単な説明】
【００１５】
【図１】本発明の実施の形態における洗濯機の縦断面図
【図２】同洗濯機の本体上部の外観図
【図３】同洗濯機の本体上部の矢視Ａ−Ａの部分断面図
【図４】同洗濯機の本体上部のフタを開けた外観図
【図５】同洗濯機のブロック回路図
【図６】従来の洗濯機の本体上部の平面図
【図７】同従来の洗濯機のフタスイッチ部の平面図
【図８】同従来の洗濯機のドアスイッチ部の平面図
【図９】同従来の洗濯機のロック機構部の平面図
【発明を実施するための形態】
【００１６】
第１の発明は、本体上部に設けた上部枠体と、前記上部枠体の略中央に設けた衣類を投入する衣類投入口と、前記衣類投入口を開閉するフタとを備え、前記フタ裏面外周には導電性を有するフタ導電部を設けるとともに、前記衣類投入口表面には導電性を有する投入口導電部を前記フタ導電部と対向する位置に設け、前記フタ導電部と前記投入口導電部との間の静電容量の変化により前記フタの開閉状態を判別する制御手段を有することにより、フタが変形などで多少持ち上がっても、フタが開いたことを精度良く検知することができるので、脱水運転の停止などを適切に行うことができるようになり、安全性に優れた洗濯機を実現することができるとうになる。
【００１７】
第２の発明は、特に第１の発明において、静電容量を記憶する記憶手段を有し、前記制御手段は、前記記憶手段に記憶した静電容量の初期値をもとに、検知した静電容量を補正することにより、洗濯機の個体差や経年による変化にも対応できるので、さらに精度良くフタの開閉状態を判別することができるようになる。
【００１８】
以下、発明の実施の形態について、図面を参照しながら説明する。また、この実施の形
態によって本発明が限定されるものではない。
【００１９】
（実施の形態１）
図１は、本発明の実施の形態における洗濯機の縦断面図、図２は、同洗濯機の本体上部の外観図、図３は、図２の矢視Ａ−Ａの部分断面図を示すものである。
【００２０】
図１、図２において、洗濯機の本体１は、サスペンション２により受筒３をその内部に懸垂防振支持している。洗濯・脱水軸４は中空で２軸構造としている。脱水槽５は、受筒３に回転自在に内包され、側壁に多数の脱水孔（図示せず）を有するとともに、内周の上部に流体バランサ６を有し、中央底部には外周を傾斜面としたナベ型の形状に形成したパルセータ７が配設されている。伝達機構部８は、内部に洗濯時の減速ギア（図示せず）および洗濯・脱水軸の切り換えクラッチ（図示せず）と、脱水時に脱水槽５を停止するためのブレーキ（図示せず）を内蔵している。モータ９は、受筒３の外底部に取り付けられ、伝達機構部８を介して、その動力を洗濯・脱水軸４に伝達する。
【００２１】
本体１の上部には上部枠体３０が設けられ、上部枠体３０には、略中央部に形成された衣類を投入するための衣類投入口１０を覆う形で、開閉自在のフタ１１が後面部にて軸支されている。なお、フタ１１は、開閉しやすいように略中央部に蝶番部３６を設けて、中折れができるようになっている。また、フタ１１上面にはリング状のフタ枠１２が設けられている。
【００２２】
また、上部枠体３０前部には、操作パネル３８が配設され、操作パネル３８内部には、モータ９などを制御して行程制御を行なう制御手段３４（図５参照）を有するコントローラ３２（図５参照）が配設されている。
【００２３】
図３において、上部枠体３０のフタ１１右前面側内部には、ロック機構１８が配設され、フタ１１を閉めた状態で、所定の行程運転中には、上部枠体３０に形成した凹部３７にて、ロック機構１８のプランジャ３１とフタ１１裏面に形成した突出リブ１９とが係合してフタ１１がロックされ、フタ１１が開けられないようになっている。
【００２４】
図４は、本発明の実施の形態における洗濯機の本体上部のフタを開けた外観図を示すものである。
【００２５】
図４において、フタ１１の裏面外周側全周に導電性の金属で表面塗装を施したフタ導電部１４が設けられており、そのフタ導電部１４に対向するように、衣類投入口１０表面には、フタ導電部１４と同様に導電性の金属で表面塗装を施したフタ導電部１４とが設けられている。フタ導電部１４とフタ導電部１４とは直接接触しないように、間には隙間もしくは絶縁物を設けている。
【００２６】
以上のように構成した洗濯機について、その動作、作用を説明する。
【００２７】
図５は、本発明の実施の形態における洗濯機のブロック回路図を示すものである。
【００２８】
図５において、フタ導電部１４と投入口導電部１５は、それぞれ行程制御を行なうコントローラ３２上の容量検出回路３３に接続されている。フタ１１を閉じた状態において対向させるように設置したフタ導電部１４と投入口導電部１５の間には、それぞれの金属部を電極とした一定の静電容量が生じる。フタ１１が閉じてロックされた状態で、フタ１１の一部が少しでも浮き上がると、電極間の距離が離れるために、フタ導電部１４と投入口導電部１５との間の静電容量が減少する。制御手段３４は、この変化を容量検出回路３３の出力で検出し、フタ１１が開いたと判断して、モータ９の駆動を停止する。静電容量の
検出については、ＬＣ発振回路を構成し、その発振周波数をコントローラで検出する。
【００２９】
また、フタ１１の形状には個体差があるため、工場で初期の静電容量の測定値を記憶手段３５に保存する、あるいは、設置時の初期状態での静電容量の測定値を保存する、あるいは、毎回の運転開始時の測定値を保存し、保存した値と比較して、フタ１１が開いていることを検知するようになっている。これは、温度、汚れ、経年に伴うフタ１１の状態変化に対応して、静電容量の初期値補正を行なうためである。
【００３０】
なお、本実施の形態では、フタ導電部１４と投入口導電部１５を金属で表面塗装としているが、金属製のフタ導電部１４をフタ１１とフタ枠１２間に内設し、同様に金属製の投入口導電部１５を衣類投入口１０の裏面側に設けてもよい。
【００３１】
また、本実施の形態では、フタ導電部１４と投入口導電部１５を金属としたが、静電容量を形成できれば、導電性樹脂のシートでも、樹脂部材に金属メッキであってもよい。
【００３２】
また、本実施の形態では、フタ１１の裏面外周側全周にフタ導電部１４を設けたが、フタ１１の一部分のみに設けても良い。
【００３３】
また、容量検出回路３３は、ＬＣ発振回路を使用しなくてもよく、ＲＣ時定数の変化をパルス入力に対する電圧変化の遅れとして検出してもよい。
【００３４】
以上のように、フタ裏面外周側全周に設けた導電性のフタ導電部と、このフタ導電部と対向するように衣類投入口表面に設けた導電性の投入口導電部との間の静電容量の変化によりフタの開閉状態を判別することにより、フタが変形などで多少持ち上がっても、フタが開いたことを精度良く検知することができるので、脱水運転の停止などを適切に行うことができるようになり、安全性に優れた洗濯機を実現することができる。
【００３５】
また、記憶手段に記憶した静電容量の初期値をもとに、検知した静電容量を補正することにより、洗濯機の個体差や経年による変化にも対応できるので、さらに精度良くフタの開閉状態を判別することができるようになる。
【産業上の利用可能性】
【００３６】
以上のように、本発明にかかる洗濯機は、フタを開閉した時の静電容量の変化によりフタの開閉を精度よく検知できるので、脱水機能や乾燥機能を有する他の洗濯の用途に適用できる。
【符号の説明】
【００３７】
１  本体
１０  衣類投入口
１１  フタ
１４  フタ導電部
１５  投入口導電部
３０  上部枠体
３２  コントローラ
３４  制御手段
３５  記憶手段
３８  操作パネル
【図２】
2013255671.tif 000003
【図５】
2013255671.tif 000004
【図１】
2013255671.tif 000005
【図３】
2013255671.tif 000006
【図４】
2013255671.tif 000007
【図６】
2013255671.tif 000008
【図７】
2013255671.tif 000009
【図８】
2013255671.tif 000010
【図９】
2013255671.tif 000011